(57)【要約】      （修正有）【課題】例えばマトリクス駆動方式の電気光学装置において、消費電力を低減する。【解決手段】電気光学装置の制御方法は、第１の選択期間において低電位（ＶＬ）が供給されるとともに第２の選択期間において高電位（ＶＨ）が供給されるデータ線の数と、第１の選択期間において高電位が供給されるとともに第２の選択期間において低電位が供給されるデータ線の数との和である第１の和（Ｎ２Ｖ）が、第１の選択期間において低電位が供給されるとともに第２の選択期間において低電位が供給されるデータ線の数と、第１の選択期間において高電位が供給されるとともに第２の選択期間において高電位が供給されるデータ線の数との和である第２の和（Ｎ０）よりも大きい場合には、第１の選択期間と第２の選択期間との間の期間において、複数のデータ線の全てに基準電位（ＧＮＤ）が供給されるように、駆動部を制御する。【選択図】図７
2012220917.tif 000002
【特許請求の範囲】
【請求項１】
互いに交差する複数の走査線及び複数のデータ線と、前記複数の走査線と前記複数のデータ線との交差に対応して設けられた画素電極と、前記複数の走査線を順次選択するとともに、該選択した走査線に対応する前記画素電極に前記複数のデータ線を介してデータ電位を供給する駆動部とを備えた電気光学装置を制御する制御方法であって、
前記複数の走査線のうち第１の走査線が選択される第１の選択期間において、該第１の走査線に対応する前記画素電極に、前記データ電位として、基準電位よりも高い高電位及び前記基準電位よりも低い低電位のいずれかが前記データ線を介して供給されるように、前記駆動部を制御する第１制御工程と、
前記複数の走査線のうち前記第１の走査線とは異なる第２の走査線が前記第１の走査線の次に選択される第２の選択期間において、該第２の走査線に対応する前記画素電極に、前記データ電位として、前記高電位及び前記低電位のいずれかが供給されるように、前記駆動部を制御する第２制御工程と、
前記複数のデータ線のうち前記第１の選択期間において前記データ電位として前記低電位が供給されるとともに前記第２の選択期間において前記データ電位として前記高電位が供給される前記データ線の数と、前記複数のデータ線のうち前記第１の選択期間において前記データ電位として前記高電位が供給されるとともに前記第２の選択期間において前記データ電位として前記低電位が供給される前記データ線の数との和である第１の和が、前記複数のデータ線のうち前記第１の選択期間において前記データ電位として前記低電位が供給されるとともに前記第２の選択期間において前記データ電位として前記低電位が供給される前記データ線の数と、前記複数のデータ線のうち前記第１の選択期間において前記データ電位として前記高電位が供給されるとともに前記第２の選択期間において前記データ電位として前記高電位が供給される前記データ線の数との和である第２の和よりも大きい場合には、前記第１の選択期間と前記第２の選択期間との間の期間において、前記複数のデータ線の全てに前記基準電位が供給されるように、前記駆動部を制御する第３制御工程と
を含むことを特徴とする電気光学装置の制御方法。
【請求項２】
前記第３制御工程は、前記第１の選択期間において前記第１の走査線に対応する前記画素電極に供給すべき前記データ電位を示す第１データ電位情報と、前記第２の選択期間において前記第２の走査線に対応する前記画素電極に供給すべき前記データ電位を示す第２データ電位情報とを比較することにより、前記第１の和が前記第２の和よりも大きいか否かを判定する判定工程を含むことを特徴とする請求項１に記載の電気光学装置の制御方法。
【請求項３】
互いに交差する複数の走査線及び複数のデータ線と、前記複数の走査線と前記複数のデータ線との交差に対応して設けられた画素電極と、前記複数の走査線を順次選択するとともに、該選択した走査線に対応する前記画素電極に前記複数のデータ線を介してデータ電位を供給する駆動部とを備えた電気光学装置を制御する制御装置であって、
前記複数の走査線のうち第１の走査線が選択される第１の選択期間において、該第１の走査線に対応する前記画素電極に、前記データ電位として、基準電位よりも高い高電位及び前記基準電位よりも低い低電位のいずれかが前記データ線を介して供給されるように、前記駆動部を制御する第１制御手段と、
前記複数の走査線のうち前記第１の走査線とは異なる第２の走査線が前記第１の走査線の次に選択される第２の選択期間において、該第２の走査線に対応する前記画素電極に、前記データ電位として、前記高電位及び前記低電位のいずれかが供給されるように、前記駆動部を制御する第２制御手段と、
前記複数のデータ線のうち前記第１の選択期間において前記データ電位として前記低電位が供給されるとともに前記第２の選択期間において前記データ電位として前記高電位が供給される前記データ線の数と、前記複数のデータ線のうち前記第１の選択期間において前記データ電位として前記高電位が供給されるとともに前記第２の選択期間において前記データ電位として前記低電位が供給される前記データ線の数との和である第１の和が、前記複数のデータ線のうち前記第１の選択期間において前記データ電位として前記低電位が供給されるとともに前記第２の選択期間において前記データ電位として前記低電位が供給される前記データ線の数と、前記複数のデータ線のうち前記第１の選択期間において前記データ電位として前記高電位が供給されるとともに前記第２の選択期間において前記データ電位として前記高電位が供給される前記データ線の数との和である第２の和よりも大きい場合には、前記第１の選択期間と前記第２の選択期間との間の期間において、前記複数のデータ線の全てに前記基準電位が供給されるように、前記駆動部を制御する第３制御手段と
を備えることを特徴とする電気光学装置の制御装置。
【請求項４】
請求項３に記載の電気光学装置の制御装置を備えることを特徴とする電気光学装置。
【請求項５】
請求項４に記載の電気光学装置を備えることを特徴とする電子機器。
【発明の詳細な説明】
【技術分野】
【０００１】
本発明は、例えば電気泳動表示装置等の電気光学装置の制御方法、電気光学装置の制御装置、電気光学装置、及び電子機器の技術分野に関する。
【背景技術】
【０００２】
この種の電気光学装置の一例として、電気泳動粒子を含む分散媒を有する電気泳動素子を挟持するように設けられた画素電極及び対向電極間に電圧を印加することにより、電気泳動粒子を移動させることで画像を表示する電気泳動表示装置（ＥＰＤ：Electrophoretic Display）がある（例えば特許文献１参照）。電気泳動素子は、電気泳動粒子として例えば黒色粒子及び白色粒子を含んでおり、これら２種類の粒子が画素毎に選択的に対向電極側に引き寄せられることによって、黒色又は白色の２つの階調が表示される。このような電気泳動表示装置では、複数の画素の各々に設けられた画素電極に、表示すべき階調に応じたデータ電位を供給することにより、画像を表示させる。例えば、黒色を表示させるべき画素の画素電極には、データ電位として、対向電極の電位（例えば０ボルト）よりも高い正極性の電位（例えば１５ボルト）を供給するとともに、白色を表示させるべき画素の画素電極には、対向電極の電位よりも低い負極性の電位（例えば−１５ボルト）を供給することにより、画像を表示させる。
【０００３】
他方、このような電気泳動表示装置として、互いに交差する複数の走査線及び複数のデータ線の交差に対応してマトリクス状に配列された複数の画素の各々に、画素スイッチング素子として機能する１つのＴＦＴ（Thin Film Transistor）と、メモリー回路として機能する１つのコンデンサー（即ち、保持容量）とを含んで構成された画素回路（いわゆる１Ｔ１Ｃ型の画素回路）を備えたアクティブマトリクス駆動方式の電気泳動表示装置がある（例えば特許文献１参照）。このようなアクティブマトリクス駆動方式の電気泳動表示装置の動作時には、複数の走査線が１水平走査期間ごとに順次選択され、選択された走査線に対応する画素に、データ線を介してデータ電位が供給される。
【先行技術文献】
【特許文献】
【０００４】
【特許文献１】特開２００６−２６７９８２号公報
【特許文献２】特開２００９−１０９７０５号公報
【発明の概要】
【発明が解決しようとする課題】
【０００５】
前述したようなアクティブマトリクス駆動方式の電気泳動表示装置では、表示画像の書き換えのために、データ線の電位を１水平走査期間ごとにデータ電位に応じて変化させる際、データ線の寄生容量を充電するために多大な電力を消費してしまうおそれがあるという技術的問題点がある。例えば、データ線の電位を正極性の電位（例えば１５ボルト）から負極性の電位（例えば−１５ボルト）へ変化させる場合や、データ線の電位を負極性の電位（例えば−１５ボルト）から正極性の電位（例えば１５ボルト）へ変化させる場合には、データ線の寄生容量を充電する充電電圧が比較的大きくなるため、データ線の寄生容量を充電するための消費電力が増大してしまうおそれがある。
【０００６】
本発明は、例えば前述した問題点に鑑みなされたものであり、消費電力を低減可能な電気光学装置の制御方法、電気光学装置の制御装置、電気光学装置、及び電子機器を提供することを課題とする。
【課題を解決するための手段】
【０００７】
本発明に係る電気光学装置の制御方法は上記課題を解決するために、互いに交差する複数の走査線及び複数のデータ線と、前記複数の走査線と前記複数のデータ線との交差に対応して設けられた画素電極と、前記複数の走査線を順次選択するとともに、該選択した走査線に対応する前記画素電極に前記複数のデータ線を介してデータ電位を供給する駆動部とを備えた電気光学装置を制御する制御方法であって、前記複数の走査線のうち第１の走査線が選択される第１の選択期間において、該第１の走査線に対応する前記画素電極に、前記データ電位として、基準電位よりも高い高電位及び前記基準電位よりも低い低電位のいずれかが前記データ線を介して供給されるように、前記駆動部を制御する第１制御工程と、前記複数の走査線のうち前記第１の走査線とは異なる第２の走査線が前記第１の走査線の次に選択される第２の選択期間において、該第２の走査線に対応する前記画素電極に、前記データ電位として、前記高電位及び前記低電位のいずれかが供給されるように、前記駆動部を制御する第２制御工程と、前記複数のデータ線のうち前記第１の選択期間において前記データ電位として前記低電位が供給されるとともに前記第２の選択期間において前記データ電位として前記高電位が供給される前記データ線の数と、前記複数のデータ線のうち前記第１の選択期間において前記データ電位として前記高電位が供給されるとともに前記第２の選択期間において前記データ電位として前記低電位が供給される前記データ線の数との和である第１の和が、前記複数のデータ線のうち前記第１の選択期間において前記データ電位として前記低電位が供給されるとともに前記第２の選択期間において前記データ電位として前記低電位が供給される前記データ線の数と、前記複数のデータ線のうち前記第１の選択期間において前記データ電位として前記高電位が供給されるとともに前記第２の選択期間において前記データ電位として前記高電位が供給される前記データ線の数との和である第２の和よりも大きい場合には、前記第１の選択期間と前記第２の選択期間との間の期間において、前記複数のデータ線の全てに前記基準電位が供給されるように、前記駆動部を制御する第３制御工程とを含む。
【０００８】
本発明に係る電気光学装置の制御方法によって制御される電気光学装置は、例えばアクティブマトリクス駆動方式の電気泳動表示装置などであり、複数の走査線と複数のデータ線との交差に対応する画素毎に１つずつ設けられることにより例えばマトリクス状に配列された複数の画素電極と、複数の走査線を順次選択するとともに、該選択した走査線に対応する画素電極に複数のデータ線を介してデータ電位を供給する駆動部とを備える。駆動部は、例えば、複数の走査線を順次選択する走査線駆動回路と、複数のデータ線にデータ電位を供給するデータ線駆動回路とを含んでなる。
【０００９】
本発明に係る電気光学装置の制御方法によれば、第１制御工程を行うことにより、第１の走査線に対応する画素電極（即ち、第１の走査線に沿って配列された複数の画素からなる第１の画素行の各画素に設けられた画素電極）に複数のデータ線を介してデータ電位を供給するとともに、第１制御工程の後に第２制御工程を行うことにより、例えば第１の走査線の隣りに位置する第２の走査線に対応する画素電極（即ち、第２の走査線に沿って配列された複数の画素からなる第２の画素行の各画素に設けられた画素電極）に複数のデータ線を介してデータ電位を供給する。
【００１０】
第１制御工程では、複数の走査線のうち第１の走査線が選択される第１の選択期間（例えば第１の水平走査期間）において、該第１の走査線に対応する画素電極に、データ電位として、基準電位（例えば０ボルト）よりも高い高電位（例えば＋１５ボルト）及び基準電位よりも低い低電位（例えば−１５ボルト）のいずれかがデータ線を介して供給されるように、駆動部を制御する。よって、第１の選択期間において、複数のデータ線の各々は、当該データ線に電気的に接続される画素電極に供給されるデータ電位に応じて高電位又は低電位になる。なお、第１制御工程及び第２制御工程では、データ電位として、高電位及び低電位に加えて基準電位のいずれかが画素電極にデータ線を介して供給されてもよい。
【００１１】
第２制御工程では、複数の走査線のうち第１の走査線とは異なる第２の走査線が第１の走査線の次に選択される第２の選択期間において、該第２の走査線に対応する画素電極に、データ電位として、高電位及び低電位のいずれかが供給されるように、駆動部を制御する。よって、第２の選択期間において、複数のデータ線の各々は、当該データ線に電気的に接続される画素電極に供給されるデータ電位に応じて高電位又は低電位になる。
【００１２】
ここで、仮に何らの対策も施さなければ、データ線が第１の選択期間において電気的に接続される画素電極（言い換えれば、該データ線と第１の走査線との交差に対応する画素に設けられた画素電極）と、該データ線が第２の選択期間において電気的に接続される画素電極（言い換えれば、該データ線と第２の走査線との交差に対応する画素に設けられた画素電極）とで、供給されるデータ電位が異なる場合、即ち、例えば、データ線が第１の選択期間において電気的に接続される画素電極にデータ電位として低電位が供給されるとともに、該データ線が第２の選択期間において電気的に接続される画素電極にデータ電位として高電位が供給される場合などには、該データ線の電位を、第１の選択期間における電位（例えば低電位）から第２の選択期間における電位（例えば高電位）に変化させる際に該データ線の寄生容量を充電するための消費電力が増大してしまうおそれがある。
【００１３】
しかるに本発明では特に、第３制御工程によって、複数のデータ線のうち第１の選択期間においてデータ電位として低電位が供給されるとともに第２の選択期間においてデータ電位として高電位が供給されるデータ線の数と、複数のデータ線のうち第１の選択期間においてデータ電位として高電位が供給されるとともに第２の選択期間においてデータ電位として低電位が供給されるデータ線の数との和である第１の和が、複数のデータ線のうち第１の選択期間においてデータ電位として低電位が供給されるとともに第２の選択期間においてデータ電位として低電位が供給されるデータ線の数と、複数のデータ線のうち第１の選択期間においてデータ電位として高電位が供給されるとともに第２の選択期間においてデータ電位として高電位が供給されるデータ線の数との和である第２の和よりも大きい場合には、第１の選択期間と第２の選択期間との間の期間において、複数のデータ線の全てに基準電位が供給されるように、駆動部を制御する。
【００１４】
即ち、第３制御工程では、以下の関係式が成立する場合には、第１の選択期間と第２の選択期間との間の期間において、複数のデータ線の全てに基準電位（例えば０ボルト）が供給されるように、駆動部を制御する。
【００１５】
関係式：  Ｎ２Ｖ＞Ｎ０  
但し、Ｎ２Ｖ＝Ｎ２Ｖ＿１＋Ｎ２Ｖ＿２
Ｎ０＝Ｎ０＿１＋Ｎ０＿２
Ｎ２Ｖ＿１は、複数のデータ線のうち第１の選択期間においてデータ電位として低電位が供給されるとともに第２の選択期間においてデータ電位として高電位が供給されるデータ線の数である。Ｎ２Ｖ＿２は、複数のデータ線のうち第１の選択期間においてデータ電位として高電位が供給されるとともに第２の選択期間においてデータ電位として低電位が供給されるデータ線の数である。Ｎ０＿１は、複数のデータ線のうち第１の選択期間においてデータ電位として低電位が供給されるとともに第２の選択期間においてデータ電位として低電位が供給されるデータ線の数である。Ｎ０＿２は、複数のデータ線のうち第１の選択期間においてデータ電位として高電位が供給されるとともに第２の選択期間においてデータ電位として高電位が供給されるデータ線の数である。Ｎ２Ｖは、第１の和であり、Ｎ０は、第２の和である。
【００１６】
つまり、第３制御工程によれば、複数のデータ線のうち、データ電位として供給される電位が第１の選択期間と第２の選択期間とで高電位と低電位との電位差分だけ異なるデータ線の数が、データ電位として供給される電位が第１の選択期間と第２の選択期間とで高電位又は低電位で同じであるデータ線の数よりも多い場合には、第１の選択期間と第２の選択期間との間の期間において、複数のデータ線の全てに基準電位が供給され（言い換えれば、第１の選択期間と第２の選択期間との間に、複数のデータ線の全てに基準電位を供給する期間が設けられ）、一方、データ電位として供給される電位が第１の選択期間と第２の選択期間とで高電位と低電位との電位差分だけ異なるデータ線の数が、データ電位として供給される電位が第１の選択期間と第２の選択期間とで高電位又は低電位で同じであるデータ線の数以下である場合には、第１の選択期間と第２の選択期間との間に、前述した基準電位を供給する期間が設けられない。
【００１７】
よって、例えば、第１の選択期間と第２の選択期間との間に、前述した基準電位を供給する期間が全く設けられない場合や、第１の選択期間と第２の選択期間との間に、前述した基準電位を供給する期間が必ず設けられる場合と比較して、第２の選択期間においてデータ線を介して画素電極にデータ電位を供給する際に、データ線の寄生容量を充電するために消費される電力を低減できる。したがって、電気光学装置の消費電力を低減できる。
【００１８】
以上説明したように、本発明に係る電気光学装置の制御方法によれば、電気光学装置の消費電力を低減できる。
【００１９】
本発明に係る電気光学装置の制御方法の一態様では、前記第３制御工程は、前記第１の選択期間において前記第１の走査線に対応する前記画素電極に供給すべき前記データ電位を示す第１データ電位情報と、前記第２の選択期間において前記第２の走査線に対応する前記画素電極に供給すべき前記データ電位を示す第２データ電位情報とを比較することにより、前記第１の和が前記第２の和よりも大きいか否かを判定する判定工程を含む。
【００２０】
この態様によれば、第１の和が第２の和よりも大きいか否か、即ち、前述した関係式  Ｎ２Ｖ＞Ｎ０が成立するか否かを確実に判定することができる。更に、第３制御工程を実現する回路の回路構成を比較的簡単なものとすることができ、実践上大変有利である。
【００２１】
本発明に係る電気光学装置の制御装置は上記課題を解決するために、互いに交差する複数の走査線及び複数のデータ線と、前記複数の走査線と前記複数のデータ線との交差に対応して設けられた画素電極と、前記複数の走査線を順次選択するとともに、該選択した走査線に対応する前記画素電極に前記複数のデータ線を介してデータ電位を供給する駆動部とを備えた電気光学装置を制御する制御装置であって、前記複数の走査線のうち第１の走査線が選択される第１の選択期間において、該第１の走査線に対応する前記画素電極に、前記データ電位として、基準電位よりも高い高電位及び前記基準電位よりも低い低電位のいずれかが前記データ線を介して供給されるように、前記駆動部を制御する第１制御手段と、前記複数の走査線のうち前記第１の走査線とは異なる第２の走査線が前記第１の走査線の次に選択される第２の選択期間において、該第２の走査線に対応する前記画素電極に、前記データ電位として、前記高電位及び前記低電位のいずれかが供給されるように、前記駆動部を制御する第２制御手段と、前記複数のデータ線のうち前記第１の選択期間において前記データ電位として前記低電位が供給されるとともに前記第２の選択期間において前記データ電位として前記高電位が供給される前記データ線の数と、前記複数のデータ線のうち前記第１の選択期間において前記データ電位として前記高電位が供給されるとともに前記第２の選択期間において前記データ電位として前記低電位が供給される前記データ線の数との和である第１の和が、前記複数のデータ線のうち前記第１の選択期間において前記データ電位として前記低電位が供給されるとともに前記第２の選択期間において前記データ電位として前記低電位が供給される前記データ線の数と、前記複数のデータ線のうち前記第１の選択期間において前記データ電位として前記高電位が供給されるとともに前記第２の選択期間において前記データ電位として前記高電位が供給される前記データ線の数との和である第２の和よりも大きい場合には、前記第１の選択期間と前記第２の選択期間との間の期間において、前記複数のデータ線の全てに前記基準電位が供給されるように、前記駆動部を制御する第３制御手段とを備える。
【００２２】
本発明に係る電気光学装置の制御装置によれば、前述した本発明に係る電気光学装置の制御方法と同様に、電気光学装置において、消費電力を低減できる。
【００２３】
なお、本発明に係る電気光学装置の制御装置においても、前述した本発明に係る電気光学装置の制御方法における各種態様と同様の各種態様を採ることが可能である。
【００２４】
本発明に係る電気光学装置は上記課題を解決するために、前述した本発明に係る電気光学装置の制御装置（但し、その各種態様も含む）を備える。
【００２５】
本発明に係る電気光学装置によれば、前述した本発明に係る電気光学装置の制御装置を備えるので、消費電力を低減できる。
【００２６】
本発明に係る電子機器は上記課題を解決するために、前述した本発明に係る電気光学装置（但し、その各種態様も含む）を備える。
【００２７】
本発明に係る電子機器によれば、前述した本発明に係る電気光学装置を備えるので、高品質な画像を表示することが可能な、例えば、腕時計、電子ペーパー、電子ノート、携帯電話、携帯用オーディオ機器などの各種電子機器を実現できる。
【００２８】
本発明の作用及び他の利得は次に説明する発明を実施するための形態から明らかにされる。
【図面の簡単な説明】
【００２９】
【図１】第１実施形態に係る電気泳動表示装置の全体構成を示すブロック図である。
【図２】第１実施形態に係る画素の電気的な構成を示す等価回路図である。
【図３】第１実施形態に係る電気泳動表示装置の表示部の部分断面図である。
【図４】第１実施形態に係るマイクロカプセルの構成を示す模式図である。
【図５】書き換え前の画像と書き換え後の画像の一例を示す平面図である。
【図６】画像を書き換える際に各画素に供給すべきデータ電位を示すデータ電位情報の一例を概念的に示す概念図である。
【図７】第１実施形態に係るＧＮＤ挿入を行うか否かを判定する判定方法を説明するための概念図（その１）である。
【図８】第１実施形態に係るＧＮＤ挿入を行うか否かを判定する判定方法を説明するための概念図（その２）である。
【図９】第１実施形態における画像が書き換えられる際のＧＮＤ挿入の一例を示すタイミングチャートである。
【図１０】充電電圧を、水平走査期間Ｔｐｒeにおけるデータ電位と水平走査期間Ｔｃｏｎにおけるデータ電位との組み合わせごとに示す表である。
【図１１】ＧＮＤ挿入が行われる場合及びＧＮＤ挿入が行われない場合の各々について、充電エネルギーを、水平走査期間Ｔｐｒeにおけるデータ電位と水平走査期間Ｔｃｏｎにおけるデータ電位との組み合わせごとに示す表である。
【図１２】電気光学装置を適用した電子機器の一例たる電子ペーパーの構成を示す斜視図である。
【図１３】電気光学装置を適用した電子機器の一例たる電子ノートの構成を示す斜視図である。
【発明を実施するための形態】
【００３０】
以下では、本発明の実施形態について図を参照しつつ説明する。以下の実施形態では、本発明に係る電気光学装置の一例である電気泳動表示装置を例にとる。
【００３１】
＜第１実施形態＞
第１実施形態に係る電気泳動表示装置について、図１から図１１を参照して説明する。
【００３２】
まず、本実施形態に係る電気泳動表示装置の全体構成について、図１及び図２を参照して説明する。
【００３３】
図１は、本実施形態に係る電気泳動表示装置の全体構成を示すブロック図である。
【００３４】
図１において、本実施形態に係る電気泳動表示装置１は、アクティブマトリクス駆動方式の電気泳動表示装置であり、表示部３と、コントローラー１０と、走査線駆動回路６０と、データ線駆動回路７０と、共通電位供給回路２２０とを備えている。なお、コントローラー１０が本発明に係る「電気光学装置の制御装置」の一例である。また、走査線駆動回路６０及びデータ線駆動回路７０が本発明に係る「駆動部」の一例を構成する。
【００３５】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３６】
コントローラー１０は、走査線駆動回路６０、データ線駆動回路７０及び共通電位供給回路２２０の動作を制御する。コントローラー１０は、例えば、クロック信号、スタートパルス等のタイミング信号を各回路に供給する。
【００３７】
走査線駆動回路６０は、コントローラー１０による制御下で、走査線Ｙ１、Ｙ２、…、Ｙｍの各々に走査信号をパルス的に順次供給することにより、ｍ本の走査線４０を順次選択する。
【００３８】
データ線駆動回路７０は、コントローラー１０による制御下で、データ線Ｘ１、Ｘ２、…、Ｘｎにデータ電位を供給する。データ電位は、基準電位ＧＮＤ（例えば０ボルト）、高電位ＶＨ（例えば＋１５ボルト）又は低電位ＶＬ（例えば−１５ボルト）のいずれかの電位をとる。なお、本実施形態では、基本的には、黒色が表示されるべき画素２０に対して低電位ＶＬのデータ電位が供給され、白色が表示されるべき画素２０に対して高電位ＶＨのデータ電位が供給される。
【００３９】
共通電位供給回路２２０は、共通電位線９３に共通電位Ｖｃｏｍ（本実施形態では、基準電位ＧＮＤと同一の電位）を供給する。なお、共通電位Ｖｃｏｍは、共通電位Ｖｃｏｍが供給された対向電極２２と基準電位ＧＮＤが供給された画素電極２１との間に電圧が実質的に生じない範囲内で、基準電位ＧＮＤとは異なる電位であってもよい。
【００４０】
なお、コントローラー１０、走査線駆動回路６０、データ線駆動回路７０及び共通電位供給回路２２０には、各種の信号が入出力されるが、本実施形態と特に関係のないものについては説明を省略する。
【００４１】
図２は、画素の電気的な構成を示す等価回路図である。
【００４２】
図２において、画素２０は、画素スイッチング用トランジスター２４と、画素電極２１と、対向電極２２と、電気泳動素子２３と、保持容量２７とを備えている。
【００４３】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図１参照）からデータ線５０を介して供給されるデータ電位を、走査線駆動回路６０（図１参照）から走査線４０を介してパルス的に供給される走査信号に応じたタイミングで、画素電極２１及び保持容量２７に出力する。
【００４４】
画素電極２１には、データ線駆動回路７０からデータ線５０及び画素スイッチング用トランジスター２４を介して、データ電位が供給される。画素電極２１は、電気泳動素子２３を介して対向電極２２と互いに対向するように配置されている。
【００４５】
対向電極２２は、共通電位Ｖｃｏｍが供給される共通電位線９３に電気的に接続されている。
【００４６】
電気泳動素子２３は、電気泳動粒子をそれぞれ含んでなる複数のマイクロカプセルから構成されている。
【００４７】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によってデータ電位を一定期間だけ維持することができる。
【００４８】
次に、本実施形態に係る電気泳動表示装置の表示部の具体的な構成について、図３及び図４を参照して説明する。
【００４９】
図３は、本実施形態に係る電気泳動表示装置の表示部の部分断面図である。
【００５０】
図３において、表示部３は、素子基板２８と対向基板２９との間に電気泳動素子２３が挟持される構成となっている。なお、本実施形態では、対向基板２９側に画像を表示することを前提として説明する。
【００５１】
素子基板２８は、例えばガラスやプラスチック等からなる基板である。素子基板２８上には、ここでは図示を省略するが、図２を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００５２】
対向基板２９は、例えばガラスやプラスチック等からなる透明な基板である。対向基板２９における素子基板２８との対向面上には、対向電極２２が複数の画素電極９ａと対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００５３】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。なお、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００５４】
マイクロカプセル８０は、画素電極２１及び対向電極２２間に挟持され、１つの画素２０内に（言い換えれば、１つの画素電極２１に対して）１つ又は複数配置されている。
【００５５】
図４は、マイクロカプセルの構成を示す模式図である。なお、図４では、マイクロカプセルの断面を模式的に示している。
【００５６】
図４において、マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００５７】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００５８】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００５９】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００６０】
黒色粒子８３は、例えば、アニリンブラック、カーボンブラック等の黒色顔料からなる粒子（高分子或いはコロイド）であり、例えば正に帯電されている。
【００６１】
このため、白色粒子８２及び黒色粒子８３は、画素電極２１と対向電極２２との間の電位差によって発生する電場によって、分散媒８１中を移動することができる。
【００６２】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００６３】
図３及び図４において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部３の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部３の表示面にはこの黒色粒子８３の色（即ち、黒色）が表示されることとなる。
【００６４】
なお、白色粒子８２、黒色粒子８３に用いる顔料を、例えば赤色、緑色、青色等の顔料に代えることによって、赤色、緑色、青色等を表示することができる。
【００６５】
次に、本実施形態に係る電気泳動表示装置の制御方法について、図５から図１１を参照して説明する。なお、以下では、説明の便宜上、表示部３（図１参照）に３行×７列分の画素２０がマトリクス状に配列されているものとする。即ち、以下では、ｍ＝３、ｎ＝７であり、表示部３に３本の走査線４０（即ち、走査線Ｙ１、Ｙ２及びＹ３）と７本のデータ線５０（即ち、データ線Ｘ１、Ｘ２、…、Ｘ７）とが互いに交差するように設けられているものとして説明する。
【００６６】
図５は、書き換え前の画像Ｐ１と書き換え後の画像Ｐ２の一例を示す平面図である。
【００６７】
以下では、図５に示すように、表示部３に表示される画像が、画像Ｐ１から画像Ｐ２に書き換えられる場合を例にとりながら、前述した電気泳動表示装置１の制御方法について説明する。なお、画像Ｐ１及びＰ２の各々は、黒色及び白色の２階調からなる２階調画像である。
【００６８】
本実施形態では、表示部３に表示された画像Ｐ１を画像Ｐ２に書き換える場合、階調を白色から黒色に変化させるべき画素２０については、画素電極２１にデータ電位として高電位ＶＨが供給され、階調を黒色から白色に変化させるべき画素２０については、画素電極２１にデータ電位として低電位ＶＬが供給され、階調を変化させない（即ち、階調を黒色又は白色のまま維持すべき）画素２０については、画素電極２１にデータ電位として基準電位ＧＮＤが供給される。これにより、階調を白色から黒色に変化させるべき画素２０では、表示面側（即ち、対向電極２２側）に黒色粒子８３が集まって黒色が表示され、階調を黒色から白色に変化させるべき画素２０では、表示面側に白色粒子８２が集まって白色が表示され、階調を変化させない画素２０では、白色粒子８２及び黒色粒子８３はほとんど或いは全く移動せず、階調が黒色又は白色のまま維持される。
【００６９】
図６は、表示部３に表示された画像Ｐ１を画像Ｐ２に書き換える際に各画素２０に供給すべきデータ電位を示すデータ電位情報９００を概念的に示す概念図である。
【００７０】
図６において、データ電位情報９００は、画像Ｐ１を画像Ｐ２に書き換える際に各画素２０に供給すべきデータ電位を示す情報（或いは電子データ）であり、画像Ｐ１に係る階調データと画像Ｐ２に係る階調データとに基づいて、コントローラー１０によって生成される。データ電位情報９００は、複数の画素２０の各々に供給すべきデータ電位をそれぞれ示す複数の画素電位データ９２０からなる。画素電位データ９２０は、対応する画素２０に供給すべきデータ電位を示す情報である。
【００７１】
図５及び図６において、表示部３に表示された画像Ｐ１を画像Ｐ２に書き換える場合、例えば、第１行−第１列、第１行−第２列及び第１行−第４列の画素２０については、画素電極２１にデータ電位として高電位ＶＨが供給され、第１行−第５列及び第１行−第６列の画素２０については、画素電極２１にデータ電位として低電位ＶＬが供給され、第１行−第３列及び第１行−第７列の画素２０については、画素電極２１にデータ電位として基準電位ＧＮＤが供給され、第２行−第３列、第２行−第４列、第２行−第５列及び第２行−第６列の画素２０については、画素電極２１にデータ電位として高電位ＶＨが供給され、第２行−第１列及び第２行−第２列の画素２０については、画素電極２１にデータ電位として低電位ＶＬが供給され、第２行−第７列の画素２０については、画素電極２１にデータ電位として基準電位ＧＮＤが供給され、第３行−第７列の画素２０については、画素電極２１にデータ電位として高電位ＶＨが供給され、第３行−第１列、第３行−第２列及び第３行−第６列の画素２０については、画素電極２１にデータ電位として低電位ＶＬが供給され、第３行−第３列、第３行−第４列及び第３行−第５列の画素２０については、画素電極２１にデータ電位として基準電位ＧＮＤが供給される。
【００７２】
本実施形態では、表示部３に表示された画像を書き換える際、走査線駆動回路６０によって走査線Ｙ１、Ｙ２及びＹ３が、この順に、所定期間である１水平走査期間ずつ選択される（即ち、１水平走査期間に相当するパルス幅を有するパルス信号である走査信号が走査線Ｙ１、Ｙ２及びＹ３に順次供給される）とともに、走査線Ｙ１が選択されている水平走査期間Ｔｈ１において、走査線Ｙ１に対応する第１行の画素２０（即ち、第１行−第１列、第１行−第２列、…、第１行−第７列の画素２０）の画素電極２１に供給すべきデータ電位が、データ線Ｘ１、…、Ｘ７の各々にデータ線駆動回路７０によって供給され、走査線Ｙ２が選択されている水平走査期間Ｔｈ２において、走査線Ｙ２に対応する第２行の画素２０（即ち、第２行−第１列、第２行−第２列、…、第２行−第７列の画素２０）の画素電極２１に供給すべきデータ電位が、データ線Ｘ１、…、Ｘ７の各々にデータ線駆動回路７０によって供給され、走査線Ｙ３が選択されている水平走査期間Ｔｈ３において、走査線Ｙ３に対応する第３行の画素２０（即ち、第３行−第１列、第３行−第２列、…、第３行−第７列の画素２０）の画素電極２１に供給すべきデータ電位が、データ線Ｘ１、…、Ｘ７の各々にデータ線駆動回路７０によって供給される。これにより、走査信号が供給されることによりオン状態となった画素スイッチング用トランジスター２４を介してデータ線５０からデータ電位が画素電極２１に供給される。
【００７３】
本実施形態では特に、表示部３に表示された画像を書き換えるために、走査線Ｙ１、Ｙ２及びＹ３をこの順に１水平走査期間ずつ選択して、この選択された走査線４０に対応する画素２０ごとにデータ電位を供給する際、データ電位を供給する前に、全てのデータ線５０に基準電位ＧＮＤを供給する「ＧＮＤ挿入」を適宜に行う。
【００７４】
即ち、データ線Ｘ１、…、Ｘ７のうち第１の水平走査期間においてデータ電位として低電位ＶＬが供給されるとともに第２の水平走査期間においてデータ電位として高電位ＶＨが供給されるデータ線５０の数と、データ線Ｘ１、…、Ｘ７のうち第１の水平走査期間においてデータ電位として高電位ＶＨが供給されるとともに第２の水平走査期間においてデータ電位として低電位ＶＬが供給されるデータ線５０の数との和である値Ｎ２Ｖが、データ線Ｘ１、…、Ｘ７のうち第１の水平走査期間においてデータ電位として低電位ＶＬが供給されるとともに第２の水平走査期間においてデータ電位として低電位ＶＬが供給されるデータ線５０の数と、データ線Ｘ１、…、Ｘ７のうち第１の水平走査期間においてデータ電位として高電位ＶＨが供給されるとともに第２の水平走査期間においてデータ電位として高電位ＶＨが供給されるデータ線５０の数との和である値Ｎ０よりも大きい場合には、第１の水平走査期間と第２の水平走査期間との間の期間において、ＧＮＤ挿入を行う（即ち、全てのデータ線５０に基準電位ＧＮＤを供給する）、言い換えれば、第２の水平走査期間においてデータ線５０にデータ電位を供給する前に、全てのデータ線５０を基準電位ＧＮＤとするプリチャージを行う。
【００７５】
つまり、本実施形態では特に、以下の関係式（１）が成立する場合に、ＧＮＤ挿入を行い、以下の関係式（１）が成立しない場合には、ＧＮＤ挿入を行わない。
【００７６】
Ｎ２Ｖ＞Ｎ０      ・・・（１）
具体的には、コントローラー１０が、データ電位情報９００に基づいて、関係式（１）が成立するか否かを判定し、関係式（１）が成立すると判定した場合にのみ、ＧＮＤ挿入を行うように、データ線駆動回路７０を制御する。
【００７７】
図７及び図８は、ＧＮＤ挿入を行うか否かを判定する判定方法を説明するための概念図である。なお、図７には、走査線Ｙ１が選択される水平走査期間Ｔｈ１と、走査線Ｙ２が選択される水平走査期間Ｔｈ２との間にＧＮＤ挿入を行うか否かを判定する例が示されており、図８には、走査線Ｙ２が選択される水平走査期間Ｔｈ２と、走査線Ｙ３が選択される水平走査期間Ｔｈ３との間にＧＮＤ挿入を行うか否かを判定する例が示されている。以下では、基準電位ＧＮＤは０ボルトであり、高電位ＶＨは＋Ｖボルト（例えば＋１５ボルト）であり、低電位ＶＬは−Ｖボルト（例えば−１５ボルト）であるものとする。
【００７８】
図７において、コントローラー１０は、データ電位情報９００が示すデータ電位を各画素２０に供給するように、データ線駆動回路６０及び走査駆動回路７０を制御する際、水平走査期間Ｔｈ１において走査線Ｙ１に対応する画素２０に供給すべきデータ電位を示す画素電位データ９２０＿１と、水平走査期間Ｔｈ２において走査線Ｙ２に対応する画素２０に供給すべきデータ電位を示す画素電位データ９２０＿２とに基づいて、データ線５０ごとに、画素電位データ９２０＿１と画素電位データ９２０＿２との差分（即ち、走査線Ｙ１に対応する画素２０に供給すべきデータ電位と走査線Ｙ２に対応する画素２０に供給すべきデータ電位との差分）を算出する、言い換えれば、データ線Ｘ１、…、Ｘ７の各々について、水平走査期間Ｔｈ２においてデータ電位が供給されることにより水平走査期間Ｔｈ１を基準として電位が変化する変化量を算出する。
【００７９】
図７に示すように、画素電位データ９２０＿１と画素電位データ９２０＿２との差分は、データ線Ｘ１、Ｘ２、Ｘ５及びＸ６については、２Ｖボルト（例えば３０ボルト）であり、データ線Ｘ３については、Ｖボルト（例えば１５ボルト）であり、データ線Ｘ４及びＸ７については、０ボルトである。
【００８０】
ここで、画素電位データ９２０＿１と画素電位データ９２０＿２との差分が２Ｖボルトであるデータ線５０の数（図７の例では、「４」）が、前述した値Ｎ２Ｖと一致し、画素電位データ９２０＿１と画素電位データ９２０＿２との差分が０ボルトであるデータ線５０のうち水平走査期間Ｔｈ１及びＴｈ２において基準電位ＧＮＤが供給されるデータ線５０を除いたデータ線５０の数（図７の例では、「１」）が、前述した値Ｎ０に一致する。よって、コントローラー１０は、Ｎ２Ｖ＝４、かつ、Ｎ０＝１として、関係式（１）が成立するか否かを判定する。したがって、図７の例では、コントローラー１０は、関係式（１）が成立すると判定し、水平走査期間Ｔｈ１と水平走査期間Ｔｈ２との間の期間においてＧＮＤ挿入を行う。
【００８１】
図８において、コントローラー１０は、データ電位情報９００が示すデータ電位を各画素２０に供給するように、データ線駆動回路６０及び走査駆動回路７０を制御する際、水平走査期間Ｔｈ２において走査線Ｙ２に対応する画素２０に供給すべきデータ電位を示す画素電位データ９２０＿２と、水平走査期間Ｔｈ３において走査線Ｙ３に対応する画素２０に供給すべきデータ電位を示す画素電位データ９２０＿３とに基づいて、データ線５０ごとに、画素電位データ９２０＿２と画素電位データ９２０＿３との差分（即ち、走査線Ｙ２に対応する画素２０に供給すべきデータ電位と走査線Ｙ３に対応する画素２０に供給すべきデータ電位との差分）を算出する、言い換えれば、データ線Ｘ１、…、Ｘ７の各々について、水平走査期間Ｔｈ３においてデータ電位が供給されることにより水平走査期間Ｔｈ２を基準として電位が変化する変化量を算出する。
【００８２】
図８に示すように、画素電位データ９２０＿２と画素電位データ９２０＿３との差分は、データ線Ｘ１、及びＸ２については、０ボルトであり、データ線Ｘ３、Ｘ４、Ｘ５及びＸ７については、Ｖボルト（例えば１５ボルト）であり、データ線Ｘ６については、２Ｖボルト（例えば３０ボルト）である。
【００８３】
ここで、画素電位データ９２０＿２と画素電位データ９２０＿３との差分が２Ｖボルトであるデータ線５０の数（図８の例では、「１」）が、前述した値Ｎ２Ｖと一致し、画素電位データ９２０＿２と画素電位データ９２０＿３との差分が０ボルトであるデータ線５０のうち水平走査期間Ｔｈ１及びＴｈ２において基準電位ＧＮＤが供給されるデータ線５０を除いたデータ線５０の数（図８の例では、「２」）が、前述した値Ｎ０に一致する。よって、コントローラー１０は、Ｎ２Ｖ＝１、かつ、Ｎ０＝２として、関係式（１）が成立するか否かを判定する。したがって、図８の例では、コントローラー１０は、関係式（１）が成立しないと判定し、水平走査期間Ｔｈ２と水平走査期間Ｔｈ３との間の期間においてはＧＮＤ挿入を行わない。
【００８４】
図９は、表示部３に表示された画像Ｐ１が画像Ｐ２に書き換えられる際のＧＮＤ挿入の一例を示すタイミングチャートである。なお、図９には、走査線Ｙ１、Ｙ２及びＹ３の電位の経時的な変化と、データ線Ｘ５の電位の経時的な変化とが示されている。データ線Ｘ５以外のデータ線５０（即ち、データ線Ｘ１、Ｘ２、Ｘ３、Ｘ４、Ｘ６及びＸ７）についても、データ線Ｘ５と同様にＧＮＤ挿入が行われる。
【００８５】
図９において、本実施形態では特に、表示部３に表示された画像Ｐ１が画像Ｐ２に書き換えられる際、走査線Ｙ１が選択される水平走査期間Ｔｈ１と走査線Ｙ２が選択される水平走査期間Ｔｈ２との間の期間Ｔｐでは、ＧＮＤ挿入が行われ、データ線Ｘ５の電位は基準電位ＧＮＤとなり、水平走査期間Ｔｈ２と走査線Ｙ３が選択される水平走査期間Ｔｈ３との間の期間Ｔｎでは、ＧＮＤ挿入が行われず、データ線Ｘ５の電位は、水平走査期間Ｔｈ２における電位（即ち、高電位ＶＨ）のまま維持される。
【００８６】
なお、図７を参照して前述したように、コントローラー１０は、画素電位データ９２０＿１と画素電位データ９２０＿２との差分を算出し、関係式（１）が成立すると判定し、水平走査期間Ｔｈ１と水平走査期間Ｔｈ２との間の期間ＴｐにおいてＧＮＤ挿入を行う。また、図８を参照して前述したように、画素電位データ９２０＿２と画素電位データ９２０＿３との差分を算出し、関係式（１）が成立しないと判定し、水平走査期間Ｔｈ２と水平走査期間Ｔｈ３との間の期間ＴｎにおいてはＧＮＤ挿入を行わない。
【００８７】
このように、本実施形態では特に、関係式（１）が成立するか否かに応じてＧＮＤ挿入を適宜に行うので、例えば、ＧＮＤ挿入が全く行われない場合や、連続する２つの水平走査期間の間の期間においてＧＮＤ挿入が必ず行われる場合と比較して、水平走査期間においてデータ線５０を介して画素電極２１にデータ電位を供給する際に、データ線５０の寄生容量を充電するために消費される消費電力を低減できる。したがって、本実施形態に係る電気泳動表示装置１によれば、当該電気泳動表示装置１の消費電力を低減できる。
【００８８】
次に、本実施形態に係る電気泳動表示装置１の制御方法による効果について、図１０及び図１１を参照して説明を加える。
【００８９】
図１０は、水平走査期間Ｔｃｏｎにおいてデータ線５０にデータ電位を供給するときに、データ線５０の寄生容量に印加される充電電圧（即ち、データ線駆動回路７０がデータ線５０の寄生容量を充電する際の充電電圧）を、水平走査期間Ｔｃｏｎの直前の水平走査期間Ｔｐｒeにおけるデータ電位と、水平走査期間Ｔｃｏｎにおけるデータ電位との組み合わせごとに示す表である。図１０（ａ）は、ＧＮＤ挿入が行われる場合における充電電圧を示し、図１０（ｂ）は、ＧＮＤ挿入が行われない場合における充電電圧を示している。なお、図１０において、高電位ＶＨは＋Ｖボルト（例えば＋１５ボルト）であり、低電位ＶＨは−Ｖボルト（例えば−１５ボルト）であり、基準電位ＧＮＤは０ボルトである。
【００９０】
図１０（ａ）において、水平走査期間Ｔｐｒeと水平走査期間Ｔｃｏｎとの間の期間にＧＮＤ挿入が行われる場合、水平走査期間Ｔｃｏｎの前に全てのデータ線５０の電位は基準電位ＧＮＤであるので、充電電圧は、水平走査期間Ｔｃｏｎにおけるデータ電位と基準電位ＧＮＤとの差分と同一の電圧であり、水平走査期間Ｔｐｒeにおけるデータ線５０の電位とは関係がない。
【００９１】
即ち、水平走査期間Ｔｐｒeと水平走査期間Ｔｃｏｎとの間の期間にＧＮＤ挿入が行われる場合、水平走査期間Ｔｃｏｎにおけるデータ電位が高電位ＶＨであるときには充電電圧は＋Ｖボルト（例えば＋１５ボルト）であり、水平走査期間Ｔｃｏｎにおけるデータ電位が低電位ＶＬであるときには充電電圧は−Ｖボルト（例えば−１５ボルト）であり、水平走査期間Ｔｃｏｎにおけるデータ電位が基準電位ＧＮＤであるときには充電電圧は０ボルトである。
【００９２】
図１０（ｂ）において、水平走査期間Ｔｐｒeと水平走査期間Ｔｃｏｎとの間の期間にＧＮＤ挿入が行われない場合、水平走査期間Ｔｃｏｎの前のデータ線５０の電位は水平走査期間Ｔｐｒeにおけるデータ電位と同一の電位であるので、充電電圧は、基本的には、水平走査期間Ｔｃｏｎにおけるデータ電位と水平走査期間Ｔｐｒｅにおけるデータ電位の差分と同一の電圧である。ただし、水平走査期間Ｔｃｏｎにおけるデータ電位が基準電位ＧＮＤの場合、基準電位ＧＮＤとされた基準電位線にデータ線５０が電気的に接続されて放電されるので、データ線駆動回路７０による充電電圧は０ボルトである。
【００９３】
即ち、水平走査期間Ｔｐｒeと水平走査期間Ｔｃｏｎとの間の期間にＧＮＤ挿入が行われない場合、水平走査期間Ｔｐｒｅにおけるデータ電位が低電位ＶＬであって水平走査期間Ｔｃｏｎにおけるデータ電位が高電位ＶＨであるときには充電電圧は＋２Ｖボルト（例えば＋３０ボルト）であり、水平走査期間Ｔｐｒｅにおけるデータ電位が高電位ＶＨであって水平走査期間Ｔｃｏｎにおけるデータ電位が低電位ＶＬであるときには充電電圧は−２Ｖボルト（例えば−３０ボルト）であり、水平走査期間Ｔｐｒｅにおけるデータ電位が基準電位ＧＮＤ（即ち、０ボルト）であって水平走査期間Ｔｃｏｎにおけるデータ電位が高電位ＶＨであるときには充電電圧は＋Ｖボルト（例えば＋１５ボルト）であり、水平走査期間Ｔｐｒｅにおけるデータ電位が基準電位ＧＮＤ（即ち、０ボルト）であって水平走査期間Ｔｃｏｎにおけるデータ電位が低電位ＶＬであるときには充電電圧は−Ｖボルト（例えば−１５ボルト）であり、その他の場合には充電電圧は０ボルトである。
【００９４】
図１１は、ＧＮＤ挿入が行われる場合及びＧＮＤ挿入が行われない場合の各々について、充電エネルギー（即ち、データ線５０の寄生容量を充電するために消費される電力）を、水平走査期間Ｔｃｏｎの直前の水平走査期間Ｔｐｒeにおけるデータ電位と、水平走査期間Ｔｃｏｎにおけるデータ電位との組み合わせごとに示す表である。
【００９５】
図１１に示すように、水平走査期間Ｔｐｒeと水平走査期間Ｔｃｏｎとの間の期間にＧＮＤ挿入が行われる場合、充電電圧が図１０（ａ）に示した値であるので、充電エネルギーは、水平走査期間Ｔｃｏｎにおけるデータ電位が低電位ＶＬ又は高電位ＶＨであるときには、データ線５０の寄生容量の容量値を「Ｃ」とすると、Ｃ×ＶＬ２又はＣ×ＶＨ２であり、水平走査期間Ｔｃｏｎにおけるデータ電位が基準電位ＧＮＤであるときには０（ゼロ）である。ここで、ＶＬ＝−Ｖであり、ＶＨ＝＋Ｖであるので、Ｃ×ＶＬ２＝Ｃ×ＶＨ２＝Ｃ×Ｖ２である。以下、充電エネルギーの値Ｃ×Ｖ２を「Ｐ」として、即ち、Ｐ＝Ｃ×Ｖ２として説明する。
【００９６】
一方、水平走査期間Ｔｐｒeと水平走査期間Ｔｃｏｎとの間の期間にＧＮＤ挿入が行われない場合、充電エネルギーは、水平走査期間Ｔｐｒｅにおけるデータ電位を「Ｖｐｒｅ」とし、水平走査期間Ｔｃｏｎにおけるデータ電位を「Ｖｃｏｎ」とすると、Ｃ×Ｖｃｏｎ×（Ｖｃｏｎ−Ｖｐｒｅ）である。よって、ＧＮＤ挿入が行われない場合、充電エネルギーは、水平走査期間Ｔｐｒｅにおけるデータ電位が低電位ＶＬであり、水平走査期間Ｔｃｏｎにおけるデータ電位が高電位ＶＨであるとき及び水平走査期間Ｔｐｒｅにおけるデータ電位が高電位ＶＨであり、水平走査期間Ｔｃｏｎにおけるデータ電位が低電位ＶＬであるとき（即ち、水平走査期間Ｔｐｒｅと水平走査期間Ｔｃｏｎとの間で、データ電位が２Ｖボルト（例えば３０ボルト）遷移するとき）には、２Ｐ（即ち、値Ｐの２倍）であり、水平走査期間Ｔｐｒｅにおけるデータ電位が基準電位ＧＮＤであり、水平走査期間Ｔｃｏｎにおけるデータ電位が高電位ＶＨであるとき及び水平走査期間Ｔｐｒｅにおけるデータ電位が基準電位ＧＮＤであり、水平走査期間Ｔｃｏｎにおけるデータ電位が低電位ＶＬであるときには、Ｐであり、その他のときには０（ゼロ）である。
【００９７】
ここで、水平走査期間Ｔｃｏｎにおいてｍ本のデータ線５０の全ての寄生容量を充電するために消費される消費電力（ｍ本のデータ線５０の寄生容量を充電するための充電エネルギー）は、ＧＮＤ挿入が行われる場合とＧＮＤ挿入が行われない場合とについて、以下の式（２）及び（３）により算出することができる。なお、ＧＮＤ挿入が行われる場合の消費電力を「Ｅ１」とし、ＧＮＤ挿入が行われない場合の消費電力を「Ｅ２」とする。また、「Ｎ２ｖ＿１」は、水平走査期間Ｔｐｒｅにおけるデータ電位が低電位ＶＬであるとともに水平走査期間Ｔｃｏｎにおけるデータ電位が高電位ＶＨであるデータ線５０の本数であり、「Ｎ０＿１」は、水平走査期間Ｔｐｒｅにおけるデータ電位が低電位ＶＬであるとともに水平走査期間Ｔｃｏｎにおけるデータ電位が低電位ＶＬであるデータ線５０の本数であり、「ＮＶ＿１」は、水平走査期間Ｔｐｒｅにおけるデータ電位が基準電位ＧＮＤであるとともに水平走査期間Ｔｃｏｎにおけるデータ電位が高電位ＶＨであるデータ線５０の本数であり、「ＮＶ＿２」は、水平走査期間Ｔｐｒｅにおけるデータ電位が基準電位ＧＮＤであるとともに水平走査期間Ｔｃｏｎにおけるデータ電位が低電位ＶＬであるデータ線５０の本数であり、「Ｎ０＿２」は、水平走査期間Ｔｐｒｅにおけるデータ電位が低電位ＶＬであるとともに水平走査期間Ｔｃｏｎにおけるデータ電位が低電位ＶＬであるデータ線５０の本数であり、「Ｎ２Ｖ＿２」は、水平走査期間Ｔｐｒｅにおけるデータ電位が高電位ＶＨであるとともに水平走査期間Ｔｃｏｎにおけるデータ電位が低電位ＶＬであるデータ線５０の本数である。
＜ＧＮＤ挿入が行われる場合＞
Ｅ１＝（Ｎ２Ｖ＿１＋Ｎ０＿１＋ＮＶ＿１＋ＮＶ＿２＋Ｎ０＿２＋Ｎ２Ｖ＿２）×Ｐ
＝（Ｎ２Ｖ＋ＮＶ＋Ｎ０）×Ｐ      ・・・（２）
＜ＧＮＤ挿入が行われない場合＞
Ｅ２＝（Ｎ２Ｖ＿１＋Ｎ２Ｖ＿２）×２Ｐ＋（ＮＶ＿１＋ＮＶ＿２）×Ｐ
＝（２×Ｎ２Ｖ＋ＮＶ）×Ｐ      ・・・（３）
但し、式（２）及び（３）において、Ｎ２Ｖ＝Ｎ２Ｖ＿１＋Ｎ２Ｖ＿２であり、ＮＶ＝ＮＶ＿１＋ＮＶ＿２である。
【００９８】
よって、ＧＮＤ挿入が行われる場合の消費電力Ｅ１が、ＧＮＤ挿入が行われない場合の消費電力Ｅ２よりも小さくなるための条件（即ち、ＧＮＤ挿入を行うことにより、消費電力を低減できる条件）は、以下の関係式（４）、即ち関係式（５）を満たすことである。
【００９９】
Ｅ１−Ｅ２＝（−Ｎ２Ｖ＋Ｎ０）＜０      ・・・（４）
Ｎ２Ｖ＞Ｎ０      ・・・（５）
即ち、関係式（５）が示すように、水平走査期間Ｔｐｒｅにおけるデータ電位が低電位ＶＬであるとともに水平走査期間Ｔｃｏｎにおけるデータ電位が高電位ＶＨであるデータ線５０の本数Ｎ２Ｖ＿１と、水平走査期間Ｔｐｒｅにおけるデータ電位が高電位ＶＨであるとともに水平走査期間Ｔｃｏｎにおけるデータ電位が低電位ＶＬであるデータ線５０の本数Ｎ２Ｖ＿２との和である値Ｎ２Ｖが、水平走査期間Ｔｐｒｅにおけるデータ電位が低電位ＶＬであるとともに水平走査期間Ｔｃｏｎにおけるデータ電位が低電位ＶＬであるデータ線５０の本数Ｎ０＿１と、水平走査期間Ｔｐｒｅにおけるデータ電位が高電位ＶＨであるとともに水平走査期間Ｔｃｏｎにおけるデータ電位が高電位ＶＨであるデータ線５０の本数Ｎ０＿２との和である値Ｎ０よりも大きい場合にのみＧＮＤ挿入を行うことにより、消費電力を低減できる。ここで、関係式（５）は、前述した関係式（１）と同一であるので、本実施形態のように、関係式（１）が成立する場合に、ＧＮＤ挿入を行い、関係式（１）が成立しない場合には、ＧＮＤ挿入を行わないことにより、電気泳動表示装置１の消費電力を確実に低減できる。
【０１００】
更に、本実施形態では特に、コントローラー１０は、前述したように、データ電位情報９００に基づいて、関係式（１）が成立するか否かを判定するので、該判定のための回路構成を比較的簡単なもの（例えば２つの画素行のデータ電位を比較する比較回路を含む回路構成）によって実現することができ、実践上大変有利である。
【０１０１】
以上説明したように、本発明に係る電気泳動表示装置１によれば、当該電気泳動表示装置１の消費電力を低減できる。
【０１０２】
＜電子機器＞
次に、前述した電気泳動表示装置を適用した電子機器について、図１２及び図１３を参照して説明する。以下では、前述した電気泳動表示装置を電子ペーパー及び電子ノートに適用した場合を例にとる。
【０１０３】
図１２は、電子ペーパー１４００の構成を示す斜視図である。
【０１０４】
図１２に示すように、電子ペーパー１４００は、前述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０１０５】
図１３は、電子ノート１５００の構成を示す斜視図である。
【０１０６】
図１３に示すように、電子ノート１５００は、図１２で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１０７】
前述した電子ペーパー１４００及び電子ノート１５００は、前述した実施形態に係る電気泳動表示装置を備えるので、消費電力が小さく、高品質な画像表示を行うことが可能である。
【０１０８】
なお、これらの他に、腕時計、携帯電話、携帯用オーディオ機器などの電子機器の表示部に、前述した本実施形態に係る電気泳動表示装置を適用することができる。
【０１０９】
なお、本発明は、電気泳動表示装置のほか、電子粉流体が用いられた表示装置にも適用することが可能である。
【０１１０】
本発明は、上述した実施形態に限られるものではなく、特許請求の範囲及び明細書全体から読み取れる発明の要旨或いは思想に反しない範囲で適宜変更可能であり、そのような変更を伴う電気光学装置の制御方法、電気光学装置の制御装置、電気光学装置、及び電子機器もまた本発明の技術的範囲に含まれるものである。
【符号の説明】
【０１１１】
３…表示部、１０…コントローラー、２０…画素、２１…画素電極、２２…対向電極、２４…画素スイッチング用トランジスター、２８…素子基板、２９…対向基板、４０…走査線、５０…データ線、６０…走査線駆動回路、７０…データ線駆動回路、８２…白色粒子、８３…黒色粒子、２２０…共通電位供給回路。
【図１】
2012220917.tif 000003
【図２】
2012220917.tif 000004
【図３】
2012220917.tif 000005
【図４】
2012220917.tif 000006
【図５】
2012220917.tif 000007
【図６】
2012220917.tif 000008
【図７】
2012220917.tif 000009
【図８】
2012220917.tif 000010
【図９】
2012220917.tif 000011
【図１０】
2012220917.tif 000012
【図１１】
2012220917.tif 000013
【図１２】
2012220917.tif 000014
【図１３】
2012220917.tif 000015